【手続補正書】
【提出日】平成18年4月18日(2006.4.18)
【手続補正１】
【補正対象書類名】明細書
【補正対象項目名】全文
【補正方法】変更
【補正の内容】
【書類名】        明細書
【発明の名称】    建築用構造材
【特許請求の範囲】
【請求項１】  柱および梁等に用いられる建築用構造材であって、互いに凹状部を内側にして対向する横断面略コ形のアルミニウム押出形材製の第１部材（１）および第２部材（２）と、一対の接続部隠ぺい用被覆材（３）（３）とを備え、第１部材（１）の左右両側の接続縁部（１ａ）（１ａ）のそれぞれ幅中央部に、第２部材（２）の接続縁部（２ａ）（２ａ）側に向かって開口した被覆材側縁部差込み用凹部（４）（４）が、第１部材（１）の全長にわたって設けられ、両差込み用凹部（４）（４）のそれぞれ内側に第２部材（２）の接続縁部（２ａ）（２ａ）側に向かって伸びる結合用突出部（５）（５）が、第１部材（１）の全長にわたって設けられるとともに、同差込み用凹部（４）（４）のそれぞれ外側に第２部材（２）の接続縁部（２ａ）（２ａ）側に向かって伸びかつ結合用突出部（５）（５）より短い被覆材側縁部係止用凸部（６）（６）が、第１部材（１）の全長にわたって設けられ、第２部材（２）の左右両側の接続縁部（２ａ）（２ａ）のそれぞれ幅中央部に、第１部材（１）の接続縁部（１ａ）（１ａ）側に向かって開口した被覆材側縁部差込み用凹部（７）（７）が、第２部材（２）の全長にわたって設けられ、両差込み用凹部（７）（７）のそれぞれ内側に第１部材（１）の接続縁部（１ａ）（１ａ）側に向かって伸びる結合用突出部（８）（８）が、第２部材（２）の全長にわたって設けられるとともに、同差込み用凹部（７）（７）のそれぞれ外側に第１部材（１）の接続縁部（１ａ）（１ａ）側に向かって伸びかつ結合用突出部（８）（８）より短い被覆材側縁部係止用凸部（９）（９）が、第２部材（２）の全長にわたって設けられ、第１部材（１）および第２部材（２）の左右両接続縁部（１ａ）（１ａ）（２ａ）（２ａ）の結合用突出部（５）（５）（８）（８）がそれぞれ突き合わせ溶接され、結合用突出部（５）（５）（８）（８）同士の接続部（１０）（１０）の外面に接続部隠ぺい用被覆材（３）（３）が第１部材（１）および第２部材（２）の略全長にわたってそれぞれ被せられ、両被覆材（３）（３）のそれぞれ一側縁部（３ａ）（３ａ）が、第１部材（１）の同側接続縁部（１ａ）（１ａ）の差込み用凹部（４）（４）に差し込まれて、差込み用凹部（４）（４）の外側の被覆材側縁部係止用凸部（６）（６）に係り合わせられるとともに、両被覆材（３
）（３）のそれぞれ他側縁部（３ｂ）（３ｂ）が、第２部材（２）の同側接続縁部（２ａ）（２ａ）の差込み用凹部（７）（７）に差し込まれて、差込み用凹部（７）（７）の外側の被覆材側縁部係止用凸部（８）（８）に係り合わせられている、建築用構造材。
【請求項２】  接続部隠ぺい用被覆材（３）（３）が押出材製で、中央部に外方凸部（３ｃ）（３ｃ）を有しており、第１部材（１）および第２部材（２）の左右両接続縁部（１ａ）（１ａ）（２ａ）（２ａ）の結合用突出部（５）（５）（８）（８）同士の接続部（１０）（１０）の外面にそれぞれ被せられた接続部隠ぺい用被覆材（３）（３）の一側縁部（３ａ）（３ａ）が、第１部材（１）の同側接続縁部（１ａ）（１ａ）の差込み用凹部（４）（４）に差し込まれて、被覆材側縁部係止用凸部（６）（６）に係り合わせられ、両被覆材（３）（３）の他側縁部（３ｂ）（３ｂ）が、第２部材（２）の同側接続縁部（２ａ）（２ａ）の差込み用凹部（７）（７）に差し込まれて、被覆材側縁部係止用凸部（９）（９）に係り合わせられるとともに、両被覆材（３）（３）の中央部の外方凸部（３ｃ）（３ｃ）が、互いに対向する短い被覆材側縁部係止用凸部（６）（９）同士の間にそれぞれ位置して、両被覆材（３）（３）の外方凸部（３ｃ）（３ｃ）の外面と係止用凸部（６）（９）の外面とが略面一となされている、請求項１記載の建築用構造材。
【請求項３】  壁等に用いられる建築用構造材であって、アルミニウム押出形材製の板状第１部材（１１）および同板状第２部材（１２）と、接続部隠ぺい用被覆材（１３）とを備え、第１部材（１１）の接続縁部（１１ａ）の幅中央部に、第２部材（１２）の接続縁部（１２ａ）側に向かって開口した被覆材側縁部差込み用凹部（１４）が、第１部材（１１）の全長にわたって設けられ、差込み用凹部（１４）の内側に第２部材（１２）の接続縁部（１２ａ）側に向かって伸びる結合用突出部（１５）が、第１部材（１１）の全長にわたって設けられるとともに、同差込み用凹部（１４）の外側に第２部材（１２）の接続縁部（１２ａ）側に向かって伸びかつ結合用突出部（１５）より短い被覆材側縁部係止用凸部（１６）が、第１部材（１１）の全長にわたって設けられ、第２部材（１２）の接続縁部（１１ａ）の幅中央部に、第１部材（１１）の接続縁部（１１ａ）側に向かって開口した被覆材側縁部差込み用凹部（１７）が、第２部材（１２）の全長にわたって設けられ、差込み用凹部（１７）の内側に第１部材（１１）の接続縁部（１１ａ）側に向かって伸びる結合用突出部（１８）が、第２部材（１２）の全長にわたって設けられるとともに、同差込み用凹部（１７）の外側に第１部材（１１）の接続縁部（１１ａ）側に向かって伸びかつ結合用突出部（１８）より短い被覆材側縁部係止用凸部（１９）が、第２部材（１２）の全長にわたって設けられ、第１部材（１１）および第２部材（１２）の接続縁部（１１ａ）（１２ａ）の結合用突出部（１５）（１８）が突き合わせ溶接され、結合用突出部（１５）（１８）同士の接続部（２０）の外面に接続部隠ぺい用被覆材（１３）が第１部材（１１）および第２部材（１２）の略全長にわたって被せられ、被覆材（１３）の一側縁部（１３ａ）が、第１部材（１１）の接続縁部（１１ａ）の差込み用凹部（１４）に差し込まれて、差込み用凹部（１４）の外側の被覆材側縁部係止用凸部（１６）に係り合わせられるとともに、被覆材（１３）の他側縁部（１３ｂ）が、第２部材（１２）の接続縁部（１２ａ）の差込み用凹部（１７）に差し込まれて、差込み用凹部（１７）の外側の被覆材側縁部係止用凸部（１８）に係り合わせられている、建築用構造材。
【請求項４】  接続部隠ぺい用被覆材（１３）が押出材製で、中央部に外方凸部（１３ｃ）を有しており、第１部材（１１）および第２部材（１２）の接続縁部（１１ａ）（１２ａ）の結合用突出部（１５）（１８）同士の接続部（２０）の外面に被せられた接続部隠ぺい用被覆材（１３）の一側縁部（１３ａ）が、第１部材（１１）の同側接続縁部（１１ａ）の差込み用凹部（１４）に差し込まれて、被覆材側縁部係止用凸部（１６）に係り合わせられ、被覆材（１３）の他側縁部（１３ｂ）が、第２部材（１２）の同側接続縁部（１２ａ）の差込み用凹部（１７）に差し込まれて、被覆材側縁部係止用凸部（１９）に係り合わせられるとともに、被覆材（１３）の中央部の外方凸部（１３ｃ）が、互いに対向する短い被覆材側縁部係止用凸部（１６）（１９）同士の間に位置して、被覆材（１３）の外方凸部（１３ｃ）の外面と係止用凸部（１６）（１９）の外面とが略面一となされている、請求項３記載の建築用構造材。
【請求項５】  横断面略コ形の第１部材（１）の左右両側壁部（１Ａ）（１Ａ）が厚肉となされるとともに、これらを連結する連結壁部（１Ｂ）が薄肉となされ、かつ横断面略コ形の第２部材（２）の左右両側壁部（２Ａ）（２Ａ）が厚肉となされるとともに、これらを連結する連結壁部（２Ｂ）が薄肉となされている、請求項１記載の建築用構造材。
【請求項６】  突き合わせ溶接が、ＦＳＷ溶接（摩擦攪拌溶接）である、請求項１または３記載の建築用構造材。
【発明の詳細な説明】
【０００１】
【発明の属する技術分野】
この発明は、柱および梁または壁等に用いられる建築用構造材に関する。
【０００２】
この明細書において、アルミニウムとは、純アルミニウムおよびアルミニウム合金を含んで意味するものとする。
【０００３】
【従来の技術】
従来、建築物の柱、梁および壁の材料は、木材、鉄、コンクリートなどが多く使用されているが、建築基準法の改正により近い将来、アルミニウムも建築用構造材の材料として使用出来るようになる。
【０００４】
【発明が解決しようとする課題】
このようなアルミニウムの建築用構造材への使用は、軽量でしかもその加工容易性のために種々の形状のものが製作可能であるという利点はあるが、柱、梁や壁を構成するアルミニウム押出形材の接続縁部同士が突き合わせ溶接された場合、その接続部が外部に現れて見え、このため外観が劣り、デザイン性の点で好ましくないだけでなく、耐火性・防火性が劣り、また強度的にも問題があった。
【０００５】
この発明の目的は、上記従来技術の問題を解決し、アルミニウム押出形材を主材として、柱、梁や壁等を構成するアルミニウム押出形材の接続縁部同士の接続部が外部に現れて見えず、従って外観がきわめて良好で、デザイン性に優れており、しかも高温においても強度が低下せず、耐火性・防火性にすぐれている建築用構造材を提供しようとするにある。
【０００６】
【課題を解決するための手段】
上記の目的を達成するために、この発明の請求項１記載の発明は、柱および梁等に用いられる建築用構造材であって、互いに凹状部を内側にして対向する横断面略コ形のアルミニウム押出形材製の第１部材および第２部材と、一対の接続部隠ぺい用被覆材とを備え、第１部材の左右両側の接続縁部のそれぞれ幅中央部に、第２部材の接続縁部側に向かって開口した被覆材側縁部差込み用凹部が、第１部材の全長にわたって設けられ、両差込み用凹部のそれぞれ内側に第２部材の接続縁部側に向かって伸びる結合用突出部が、第１部材の全長にわたって設けられるとともに、同差込み用凹部のそれぞれ外側に第２部材の接続縁部側に向かって伸びかつ結合用突出部より短い被覆材側縁部係止用凸部が、第１部材の全長にわたって設けられ、第２部材の左右両側の接続縁部のそれぞれ幅中央部に、第１部材の接続縁部側に向かって開口した被覆材側縁部差込み用凹部が、第２部材の全長にわたって設けられ、両差込み用凹部のそれぞれ内側に第１部材の接続縁部側に向かって伸びる結合用突出部が、第２部材の全長にわたって設けられるとともに、同差込み用凹部のそれぞれ外側に第１部材の接続縁部側に向かって伸びかつ結合用突出部より短い被覆材側縁部係止用凸部が、第２部材の全長にわたって設けられ、第１部材および第２部材の左右両接続縁部の結合用突出部がそれぞれ突き合わせ溶接され、結合用突出部同士の接続部の外面に接続部隠ぺい用被覆材が第１部材および第２部材の略全長にわたってそれぞれ被せられ、両被覆材のそれぞれ一側縁部が、第１部材の同側接続縁部の差込み用凹部に差し込まれて、差込み用凹部の外側の被覆材側縁部係止用凸部に係り合わせられるとともに、両被覆材のそれぞれ他側縁部が、第２部材の同側接続縁部の差込み用凹部に差し込まれて、差込み用凹部の外側の被覆材側縁部係止用凸部に係り合わせられていることを特徴としている。
【０００７】
なお、上記接続部隠ぺい用被覆材は押出材製で、中央部に外方凸部を有しており、第１部材および第２部材の左右両接続縁部の結合用突出部同士の接続部の外面にそれぞれ被せられた接続部隠ぺい用被覆材の一側縁部が、第１部材の同側接続縁部の差込み用凹部に差し込まれて、被覆材側縁部係止用凸部に係り合わせられ、両被覆材の他側縁部が、第２部材の同側接続縁部の差込み用凹部に差し込まれて、被覆材側縁部係止用凸部に係り合わせられるとともに、両被覆材の中央部の外方凸部が、互いに対向する短い被覆材側縁部係止用凸部同士の間にそれぞれ位置して、両被覆材の外方凸部の外面と係止用凸部の外面とが略面一となされているのが、望ましい。
【０００８】
つぎに、この発明の請求項３記載の発明は、壁等に用いられる建築用構造材であって、アルミニウム押出形材製の板状第１部材および同板状第２部材と、接続部隠ぺい用被覆材とを備え、第１部材の接続縁部の幅中央部に、第２部材の接続縁部側に向かって開口した被覆材側縁部差込み用凹部が、第１部材の全長にわたって設けられ、差込み用凹部の内側に第２部材の接続縁部側に向かって伸びる結合用突出部が、第１部材の全長にわたって設けられるとともに、同差込み用凹部の外側に第２部材の接続縁部側に向かって伸びかつ結合用突出部より短い被覆材側縁部係止用凸部が、第１部材の全長にわたって設けられ、第２部材の接続縁部の幅中央部に、第１部材の接続縁部側に向かって開口した被覆材側縁部差込み用凹部が、第２部材の全長にわたって設けられ、差込み用凹部の内側に第１部材の接続縁部側に向かって伸びる結合用突出部が、第２部材の全長にわたって設けられるとともに、同差込み用凹部の外側に第１部材の接続縁部側に向かって伸びかつ結合用突出部より短い被覆材側縁部係止用凸部が、第２部材の全長にわたって設けられ、第１部材および第２部材の接続縁部の結合用突出部が突き合わせ溶接され、結合用突出部同士の接続部の外面に接続部隠ぺい用被覆材が第１部材および第２部材の略全長にわたって被せられ、被覆材の一側縁部が、第１部材の接続縁部の差込み用凹部に差し込まれて、差込み用凹部の外側の被覆材側縁部係止用凸部に係り合わせられるとともに、被覆材の他側縁部が、第２部材の接続縁部の差込み用凹部に差し込まれて、差込み用凹部の外側の被覆材側縁部係止用凸部に係り合わせられていることを特徴としている。
【０００９】
なお、上記接続部隠ぺい用被覆材は押出材製で、中央部に外方凸部を有しており、第１部材および第２部材の接続縁部の結合用突出部同士の接続部の外面に被せられた接続部隠ぺい用被覆材の一側縁部が、第１部材の同側接続縁部の差込み用凹部に差し込まれて、被覆材側縁部係止用凸部に係り合わせられ、被覆材の他側縁部が、第２部材の同側接続縁部の差込み用凹部に差し込まれて、被覆材側縁部係止用凸部に係り合わせられるとともに、被覆材の中央部の外方凸部が、互いに対向する短い被覆材側縁部係止用凸部同士の間に位置して、被覆材の外方凸部の外面と係止用凸部の外面とが略面一となされているのが、望ましい。
【００１０】
ここで、横断面略コ形の第１部材の左右両側壁部が厚肉となされるとともに、これらを連結する連結壁部が薄肉となされ、かつ横断面略コ形の第２部材の左右両側壁部が厚肉となされるとともに、これらを連結する連結壁部が薄肉となされている。
また、突き合わせ溶接は、例えばＦＳＷ溶接（摩擦攪拌溶接）である。
【００１１】
【発明の実施の形態】
つぎに、この発明の実施の形態を、図面を参照して説明する。
【００１２】
この発明の第１実施形態を示す図１を参照すると、この発明による建築用構造材（３０）は、柱および梁等に用いられかつ横断面略方形を有するものであって、互いに凹状部を内側にして対向する横断面略コ形のアルミニウム押出形材製の第１部材（１）および第２部材（２）と、一対の接続部隠ぺい用被覆材（３）（３）とを備えている。
【００１３】
ここで、第１部材（１）および第２部材（２）とを構成するアルミニウム押出形材としては、Ａ５０８３Ｓ−Ｈ１１２、Ａ６０６３Ｓ−Ｔ５、Ａ６Ｎ０１Ｓ−Ｔ５，−Ｔ６、Ａ６０６１Ｓ−Ｔ６などであって、例えば厚さ３〜１０ｍｍのものをそれぞれ使用する。
【００１４】
また、横断面略コ形の第１部材（１）の左右両側壁部（１Ａ）（１Ａ）が厚肉となされるとともに、これらを連結する連結壁部（１Ｂ）が薄肉となされ、かつ横断面略コ形の第２部材（２）の左右両側壁部（２Ａ）（２Ａ）が厚肉となされるとともに、これらを連結する連結壁部（２Ｂ）が薄肉となされている。なお、連結壁部（１Ｂ）および連結壁部（２Ｂ）に対し、第１部材（１）および第２部材（２）の左右両側壁部（１Ａ）（１Ａ）（２Ａ）（２Ａ）の肉厚を、例えば１．１〜２．０倍程度にそれぞれ厚くするようにすると良い。
【００１５】
つぎに、上記接続部隠ぺい用被覆材（３）（３）としては、第１部材（１）および第２部材（２）と同種のアルミニウム押出形材、あるいはまたセラミックスまたは繊維強化熱硬化性樹脂（ＦＲＰ）などを使用する。
【００１６】
この発明の建築用構造材（３０）を構成する一方の第１部材（１）の左右両側の接続縁部（１ａ）（１ａ）のそれぞれ厚さ方向の幅中央部に、第２部材（２）の接続縁部（２ａ）（２ａ）側に向かって開口した被覆材側縁部差込み用凹部（４）（４）が、第１部材（１）の全長にわたって設けられている。両差込み用凹部（４）（４）のそれぞれ内側に第２部材（２）の接続縁部（２ａ）（２ａ）側に向かって伸びる結合用突出部（５）（５）が、第１部材（１）の全長にわたって設けられるとともに、同差込み用凹部（４）（４）のそれぞれ外側に第２部材（２）の接続縁部（２ａ）（２ａ）側に向かって伸びかつ結合用突出部（５）（５）より短い被覆材側縁部係止用凸部（６）（６）が、第１部材（１）の全長にわたって設けられている。
【００１７】
建築用構造材（３０）を構成する他方の第２部材（２）の左右両側の接続縁部（２ａ）（２ａ）のそれぞれ厚さ方向の幅中央部に、第１部材（１）の接続縁部（１ａ）（１ａ）側に向かって開口した被覆材側縁部差込み用凹部（７）（７）が、第２部材（２）の全長にわたって設けられている。
【００１８】
両差込み用凹部（７）（７）のそれぞれ内側に第１部材（１）の接続縁部（１ａ）（１ａ）側に向かって伸びる相対的に長い結合用突出部（８）（８）が、第２部材（２）の全長にわたって設けられるとともに、同差込み用凹部（７）（７）のそれぞれ外側に第１部材（１）の接続縁部（１ａ）（１ａ）側に向かって伸びかつ結合用突出部（８）（８）より短い被覆材側縁部係止用凸部（９）（９）が、第２部材（２）の全長にわたって設けられている。
【００１９】
第１部材（１）および第２部材（２）の左右両接続縁部（１ａ）（１ａ）（２ａ）（２ａ）の結合用突出部（５）（５）（８）（８）がそれぞれ突き合わせ溶接される。ここで、突き合わせ溶接は、例えばＦＳＷ溶接（摩擦攪拌溶接）、ミグ溶接（ＭＩＧ溶接）、およびティグ溶接（ＴＩＧ溶接）などにより行なうのが、好ましい。
【００２０】
そして、第１部材（１）および第２部材（２）の結合用突出部（５）（５）（８）（８）同士の接続部（１０）（１０）の外面に、それぞれ接続部隠ぺい用被覆材（３）（３）が第１部材（１）および第２部材（２）の略全長にわたって被せられ、両被覆材（３）（３）のそれぞれ一側縁部（３ａ）（３ａ）が、第１部材（１）の同側接続縁部（１ａ）（１ａ）の差込み用凹部（４）（４）に差し込まれて、差込み用凹部（４）（４）外側の被覆材側縁部係止用凸部（６）（６）に係り合わせられるとともに、両被覆材（３）（３）のそれぞれ他側縁部（３ｂ）（３ｂ）が、第２部材（２）の同側接続縁部（２ａ）（２ａ）の差込み用凹部（７）（７）に差し込まれて、差込み用凹部（７）（７）外側の被覆材側縁部係止用凸部（８）（８）に係り合わせられている。
【００２１】
なお、接続部隠ぺい用被覆材（３）（３）の内側面の幅中央部には、溶接部逃がし用凹部（２３）（２３）がそれぞれ全長にわたって設けられている。
【００２２】
この発明の第１実施形態によれば、柱や梁を構成するアルミニウム押出形材製の第１部材（１）および第２部材（２）の結合用突出部（５）（５）（８）（８）同士の接続部（１０）（１０）が外部に現れて見えず、従って外観がきわめて良好で、デザイン性に優れている。
【００２３】
また、この発明の建築用構造材（３０）を用いた建築物の火災発生時などにおいては、構造材（３０）を構成するアルミニウム押出形材製の第１部材（１）および第２部材（２）の突き合わせ溶接よりなる接続部（１０）（１０）は、通常、約６６０℃付近で融解するものであるが、この発明によれば、上記のように第１部材（１）および第２部材（２）の接続部（１０）（１０）の外面に、接続部隠ぺい用被覆材（３）（３）がそれぞれ被せられているから、接続部（１０）（１０）が融解温度に至り難く、従って建築用構造材（３０）は、高温においても強度が低下せず、耐火性・防火性にすぐれており、安全性が高いものである。
【００２４】
また、第１実施形態の建築用構造材（３０）では、第１部材（１）および第２部材（２）が共にアルミニウム押出形材製であるとともに、一対の接続部隠ぺい用被覆材（３）（３）が、第１部材（１）および第２部材（２）と同種のアルミニウム押出形材、あるいはまたセラミックスまたは繊維強化熱硬化性樹脂（ＦＲＰ）などよりなるものであるから、建築用構造材（３０）は、軽量でしかもその加工容易性のために種々の形状のものが製作可能であるとともに、外観が非常に綺麗であり、かつデザイン性にすぐれている。
【００２５】
また、建築用構造材（３０）が、横断面略コ形を有するアルミニウム押出形材製の第１部材（１）および第２部材（２）によって主として構成されているから、これら２つのアルミニウム押出形材製の第１部材（１）および第２部材（２）を結合して、大型の建築用構造材（３０）を容易に製作することができるという利点がある。
【００２６】
また、この第１実施形態によれば、接続部隠ぺい用被覆材（３）（３）が押出材製で、中央部に外方凸部（３ｃ）（３ｃ）を有するとともに、接続部隠ぺい用被覆材（３）（３）の内側面の幅中央部に、横断面円弧状の溶接部逃がし用凹部（２３）（２３）がそれぞれ全長にわたって設けられていて、被覆材（３）（３）が全体として弾性を有するものとなされている。
【００２７】
従って、第１部材（１）および第２部材（２）の左右両接続縁部（１ａ）（１ａ）（２ａ）（２ａ）の結合用突出部（５）（５）（８）（８）同士の接続部（１０）（１０）の外面にそれぞれ被せられた接続部隠ぺい用被覆材（３）（３）の一側縁部（３ａ）（３ａ）が、第１部材（１）の同側接続縁部（１ａ）（１ａ）の差込み用凹部（４）（４）に差し込まれて、被覆材側縁部係止用凸部（６）（６）に係り合わせられ、両被覆材（３）（３）の他側縁部（３ｂ）（３ｂ）が、第２部材（２）の同側接続縁部（２ａ）（２ａ）の差込み用凹部（７）（７）に差し込まれて、被覆材側縁部係止用凸部（９）（９）に係り合わせられた状態では、両被覆材（３）（３）の中央部の外方凸部（３ｃ）（３ｃ）が、互いに対向する短い被覆材側縁部係止用凸部（６）（９）同士の間にそれぞれ位置して、両被覆材（３）（３）の外方凸部（３ｃ）（３ｃ）の外面と係止用凸部（６）（９）の外面とが略面一となされている。このため、第１部材（１）および第２部材（２）同士の接続部分の外観がより一層良好であり、デザイン性に優れているという利点がある。
【００２８】
また、接続部隠ぺい用被覆材（３）（３）が、幅中央部の横断面円弧状の溶接部逃がし用凹部（２３）（２３）の存在により薄肉となされた被覆材（３）（３）幅中央部を中心として撓むことができて、弾性を有しているから、いわゆるスプリング効果により、被覆材（３）（３）の両側縁部（３ａ）（３ａ）（３ｂ）（３ｂ）が、第１部材（１）の係止用凸部（６）（６）と第２部材（２）の係止用凸部（９）（９）とに、しっかりと係り合わせられるという利点がある。
【００２９】
なお、上記第１実施形態においては、建築用構造材（３０）を構成するアルミニウム中空押出形材が、横断面略方形となされているが、アルミニウム中空押出形材の横断面形状は、横断面略円形またはその他の形状であっても良い。
【００３０】
つぎに、図２はこの発明の第２実施形態を示すものである。ここで、上記第１実施形態の場合と異なる点は、建築用構造材（３１）が壁等に用いられ、アルミニウム押出形材製の板状第１部材（１１）および同板状第２部材（１２）と、接続部隠ぺい用被覆材（１３）とを備えている点にある。
【００３１】
そして、板状第１部材（１１）の接続縁部（１１ａ）の厚さ方向の幅中央部に、板状第２部材（１２）の接続縁部（１２ａ）側に向かって開口した被覆材側縁部差込み用凹部（１４）が、板状第１部材（１１）の全長にわたって設けられ、差込み用凹部（１４）の内側に板状第２部材（１２）の接続縁部（１２ａ）側に向かって伸びる結合用突出部（１５）が、板状第１部材（１１）の全長にわたって設けられるとともに、同差込み用凹部（１４）の外側に板状第２部材（１２）の接続縁部（１２ａ）側に向かって伸びかつ結合用突出部（１５）より短い被覆材側縁部係止用凸部（１６）が、板状第１部材（１１）の全長にわたって設けられている。
【００３２】
板状第２部材（１２）の接続縁部（１２ａ）の厚さ方向の幅中央部に、板状第１部材（１１）の接続縁部（１１ａ）側に向かって開口した被覆材側縁部差込み用凹部（１７）が、板状第２部材（１２）の全長にわたって設けられ、差込み用凹部（１７）の内側に板状第１部材（１１）の接続縁部（１１ａ）側に向かって伸びる結合用突出部（１８）が、板状第２部材（１２）の全長にわたって設けられるとともに、同差込み用凹部（１７）の外側に板状第１部材（１１）の接続縁部（１１ａ）側に向かって伸びかつ結合用突出部（１８）より短い被覆材側縁部係止用凸部（１９）が、板状第２部材（１２）の全長にわたって設けられている。
【００３３】
板状第１部材（１１）および板状第２部材（１２）の接続縁部（１１ａ）（１２ａ）の結合用突出部（１５）（１８）が突き合わせ溶接される。ここで、突き合わせ溶接の方法は、前述の通りである。
【００３４】
そして、板状第１部材（１１）および板状第２部材（１２）の結合用突出部（１５）（１８）同士の接続部（２０）の外面に接続部隠ぺい用被覆材（１３）が板状第１部材（１１）および板状第２部材（１２）の略全長にわたって被せられ、被覆材（１３）の一側縁部（１３ａ）が、板状第１部材（１１）の接続縁部（１１ａ）の差込み用凹部（１４）に差し込まれて、差込み用凹部（１４）の外側の被覆材側縁部係止用凸部（１６）に係り合わせられるとともに、被覆材（１３）の他側縁部（１３ｂ）が、板状第２部材（１２）の接続縁部（１２ａ）の差込み用凹部（１７）に差し込まれて、差込み用凹部（１７）外側の被覆材側縁部係止用凸部（１８）に係り合わせられている。なお、接続部隠ぺい用被覆材（１３）（１３）としては、板状第１部材（１１）および板状第２部材（１２）と同種のアルミニウム押出形材、あるいはまたセラミックスまたは繊維強化熱硬化性樹脂（ＦＲＰ）などを使用する。
【００３５】
なお、図示の第２実施形態では、一方の板状第１部材（１１）の内側面が支柱（２１）に取り付けられている。
【００３６】
この発明の第２実施形態によれば、壁等を構成するアルミニウム押出形材製の板状第１部材（１１）および板状第２部材（１２）の結合用突出部（１５）（１８）同士の接続部（２０）が外部に現れて見えず、従って外観がきわめて良好で、デザイン性に優れている。
【００３７】
また、この発明の建築用構造材（３１）を用いた建築物の火災発生時などにおいては、構造材（３１）を構成するアルミニウム押出形材製の板状第１部材（１１）および板状第２部材（１２）の突き合わせ溶接よりなる接続部（２０）は、通常、約６６０℃付近で融解するものであるが、この発明によれば、該接続部（２０）の外面に、接続部隠ぺい用被覆材（１３）が被せられているから、接続部（２０）（２０）が融解温度に至り難く、従って建築用構造材（３１）は、高温においても強度が低下せず、耐火性・防火性にすぐれており、安全性が高いものである。
【００３８】
また、第２実施形態の建築用構造材（３１）では、板状第１部材（１１）および板状第２部材（１２）が共にアルミニウム押出形材製であるとともに、接続部隠ぺい用被覆材（１３）が、板状第１部材（１１）および板状第２部材（１２）と同種のアルミニウム押出形材、あるいはまたセラミックスまたは繊維強化熱硬化性樹脂（ＦＲＰ）などよりなるものであるから、建築用構造材（３１）は、軽量でしかもその加工容易性のために種々の形状のものが製作可能であるとともに、外観が非常に綺麗であり、かつデザイン性にすぐれている。
【００３９】
また、建築用構造材（３１）が、アルミニウム押出形材製の板状第１部材（１１）および板状第２部材（１２）によって主として構成されているから、板状第１部材（１１）および板状第２部材（１２）を結合して、大型の建築用構造材（３１）を容易に製作することができるという利点がある。
【００４０】
また、この第２実施形態によれば、接続部隠ぺい用被覆材（１３）が押出材製で、中央部に外方凸部（１３ｃ）を有するとともに、接続部隠ぺい用被覆材（１３）の内側面の幅中央部に、横断面円弧状の溶接部逃がし用凹部（２４）が全長にわたって設けられていて、被覆材（１３）が全体として弾性を有するものとなされている。
【００４１】
従って、板状第１部材（１１）および板状第２部材（１２）の接続部（２０）の外面に被せられた接続部隠ぺい用被覆材（１３）の一側縁部（１３ａ）が、板状第１部材（１１）の同側接続縁部（１１ａ）の差込み用凹部（１４）に差し込まれて、被覆材側縁部係止用凸部（１６）に係り合わせられ、被覆材（１３）の他側縁部（１３ｂ）が、板状第２部材（１２）の同側接続縁部（１２ａ）の差込み用凹部（１７）に差し込まれて、被覆材側縁部係止用凸部（１９）に係り合わせられた状態では、被覆材（１３）の中央部の外方凸部（１３ｃ）が、互いに対向する短い被覆材側縁部係止用凸部（１６）（１９）同士の間に位置して、被覆材（１３）の外方凸部（１３ｃ）の外面と係止用凸部（１６）（１９）の外面とが略面一となされている。このため、板状第１部材（１１）および板状第２部材（１２）同士の接続部分の外観がより一層良好であり、デザイン性に優れているという利点がある。
【００４２】
また、接続部隠ぺい用被覆材（１３）が、幅中央部の横断面円弧状の溶接部逃がし用凹部（２４）の存在により薄肉となされた被覆材（１３）幅中央部を中心として撓むことができて、弾性を有しているから、いわゆるスプリング効果により、被覆材（１３）の両側縁部（１３ａ）（１３ｂ）が、板状第１部材（１１）の係止用凸部（１６）と板状第２部材（１２）の係止用凸部（１９）とに、しっかりと係り合わせられるという利点がある。
【００４３】
なお、上記第２実施形態の建築用構造材（３１）によれば、板状第１部材（１１）の一方の接続縁部（１１ａ）と、これと同側の板状第２部材（１２）の接続縁部（１２ａ）とが接続される場合について説明したが、壁等を構成する建築用構造材（３１）が、合計で３枚以上の板状第１部材（１１）および板状第２部材（１２）によってつくられる場合には、板状第１部材（１１）の左右両接続縁部（１１ａ）（１１ａ）および／または板状第２部材（１２）の左右両接続縁部（１２ａ）（１２ａ）に、被覆材側縁部差込み用凹部（１４）（１４）（１７）（１７）が設けられて、相互に隣り合う板状第１部材（１１）および板状第２部材（１２）の接続縁部（１１ａ）（１２ａ）同士の接続部（２０）の外面に、接続部隠ぺい用被覆材（１３）が被せ止められるようになされていても良い。
【００４４】
【発明の効果】
この発明による請求項１記載の発明は、上述のように、柱および梁等に用いられる建築用構造材であって、互いに凹状部を内側にして対向する横断面略コ形のアルミニウム押出形材製の第１部材および第２部材と、一対の接続部隠ぺい用被覆材とを備え、第１部材の左右両側の接続縁部のそれぞれ幅中央部に、第２部材の接続縁部側に向かって開口した被覆材側縁部差込み用凹部が、第１部材の全長にわたって設けられ、両差込み用凹部のそれぞれ内側に第２部材の接続縁部側に向かって伸びる結合用突出部が、第１部材の全長にわたって設けられるとともに、同差込み用凹部のそれぞれ外側に第２部材の接続縁部側に向かって伸びかつ結合用突出部より短い被覆材側縁部係止用凸部が、第１部材の全長にわたって設けられ、第２部材の左右両側の接続縁部のそれぞれ幅中央部に、第１部材の接続縁部側に向かって開口した被覆材側縁部差込み用凹部が、第２部材の全長にわたって設けられ、両差込み用凹部のそれぞれ内側に第１部材の接続縁部側に向かって伸びる結合用突出部が、第２部材の全長にわたって設けられるとともに、同差込み用凹部のそれぞれ外側に第１部材の接続縁部側に向かって伸びかつ結合用突出部より短い被覆材側縁部係止用凸部が、第２部材の全長にわたって設けられ、第１部材および第２部材の左右両接続縁部の結合用突出部がそれぞれ突き合わせ溶接され、結合用突出部同士の接続部の外面に接続部隠ぺい用被覆材が第１部材および第２部材の略全長にわたってそれぞれ被せられ、両被覆材のそれぞれ一側縁部が、第１部材の同側接続縁部の差込み用凹部に差し込まれて、差込み用凹部の外側の被覆材側縁部係止用凸部に係り合わせられるとともに、両被覆材のそれぞれ他側縁部が、第２部材の同側接続縁部の差込み用凹部に差し込まれて、差込み用凹部の外側の被覆材側縁部係止用凸部に係り合わせられているもので、この請求項１記載の発明の建築用構造材によれば、アルミニウム押出形材製の第１部材および第２部材の結合用突出部同士の接続部が外部に現れて見えず、従って外観がきわめて良好で、デザイン性に優れている。
【００４５】
また、この発明の建築用構造材を用いた建築物の火災発生時などにおいては、構造材を構成するアルミニウム押出形材製の第１部材および第２部材の突き合わせ溶接よりなる接続部は、通常、約６６０℃付近で融解するものであるが、この発明によれば、第１部材および第２部材の接続部の外面に、接続部隠ぺい用被覆材がそれぞれ被せられているから、接続部が融解温度に至り難く、従って建築用構造材は、高温においても強度が低下せず、耐火性・防火性にすぐれており、安全性が高いものである。
【００４６】
また、第１部材および第２部材が共にアルミニウム押出形材製であるとともに、一対の接続部隠ぺい用被覆材が、第１部材および第２部材と同種のアルミニウム押出形材、あるいはまたセラミックスまたは繊維強化熱硬化性樹脂（ＦＲＰ）などよりなるものであるから、建築用構造材は、軽量でしかもその加工容易性のために種々の形状のものが製作可能であるとともに、外観が非常に綺麗であり、かつデザイン性にすぐれている。
【００４７】
また、建築用構造材が、横断面略コ形を有するアルミニウム押出形材製の第１部材および第２部材によって主として構成されているから、これら２つのアルミニウム押出形材製の第１部材および第２部材を結合して、大型の建築用構造材を容易に製作することができるという効果を奏する。
【００４８】
また、この発明による請求項２記載の発明は、接続部隠ぺい用被覆材が押出材製で、中央部に外方凸部を有しているもので、第１部材および第２部材の左右両接続縁部の結合用突出部同士の接続部の外面にそれぞれ被せられた接続部隠ぺい用被覆材の一側縁部が、第１部材の同側接続縁部の差込み用凹部に差し込まれて、被覆材側縁部係止用凸部に係り合わせられ、両被覆材の他側縁部が、第２部材の同側接続縁部の差込み用凹部に差し込まれて、被覆材側縁部係止用凸部に係り合わせられた状態では、両被覆材の中央部の外方凸部が、互いに対向する短い被覆材側縁部係止用凸部同士の間にそれぞれ位置して、両被覆材の外方凸部の外面と係止用凸部の外面とが略面一となされているから、第１部材および第２部材同士の接続部分の外観がより一層良好であり、デザイン性に優れているという効果を奏する。
【００４９】
つぎに、この発明の請求項３記載の発明は、壁等に用いられる建築用構造材であって、アルミニウム押出形材製の板状第１部材および同板状第２部材と、接続部隠ぺい用被覆材とを備え、第１部材の接続縁部の幅中央部に、第２部材の接続縁部側に向かって開口した被覆材側縁部差込み用凹部が、第１部材の全長にわたって設けられ、差込み用凹部の内側に第２部材の接続縁部側に向かって伸びる結合用突出部が、第１部材の全長にわたって設けられるとともに、同差込み用凹部の外側に第２部材の接続縁部側に向かって伸びかつ結合用突出部より短い被覆材側縁部係止用凸部が、第１部材の全長にわたって設けられ、第２部材の接続縁部の幅中央部に、第１部材の接続縁部側に向かって開口した被覆材側縁部差込み用凹部が、第２部材の全長にわたって設けられ、差込み用凹部の内側に第１部材の接続縁部側に向かって伸びる結合用突出部が、第２部材の全長にわたって設けられるとともに、同差込み用凹部の外側に第１部材の接続縁部側に向かって伸びかつ結合用突出部より短い被覆材側縁部係止用凸部が、第２部材の全長にわたって設けられ、第１部材および第２部材の接続縁部の結合用突出部が突き合わせ溶接され、結合用突出部同士の接続部の外面に接続部隠ぺい用被覆材が第１部材および第２部材の略全長にわたって被せられ、被覆材の一側縁部が、第１部材の接続縁部の差込み用凹部に差し込まれて、差込み用凹部の外側の被覆材側縁部係止用凸部に係り合わせられるとともに、被覆材の他側縁部が、第２部材の接続縁部の差込み用凹部に差し込まれて、差込み用凹部の外側の被覆材側縁部係止用凸部に係り合わせられているもので、この請求項３記載の発明の建築用構造材によれば、壁等を構成するアルミニウム押出形材製の板状第１部材および板状第２部材の結合用突出部同士の接続部が外部に現れて見えず、従って外観がきわめて良好で、デザイン性に優れている。
【００５０】
また、この発明の建築用構造材を用いた建築物の火災発生時などにおいては、構造材を構成するアルミニウム押出形材製の板状第１部材および板状第２部材の突き合わせ溶接よりなる接続部は、通常、約６６０℃付近で融解するものであるが、この発明によれば、該接続部の外面に、接続部隠ぺい用被覆材が被せられているから、接続部が融解温度に至り難く、従って建築用構造材は、高温においても強度が低下せず、耐火性・防火性にすぐれており、安全性が高いものである。
【００５１】
また、請求項３記載の建築用構造材では、板状第１部材および板状第２部材が共にアルミニウム押出形材製であるとともに、一対の接続部隠ぺい用被覆材が、第１部材および第２部材と同種のアルミニウム押出形材、あるいはまたセラミックスまたは繊維強化熱硬化性樹脂（ＦＲＰ）などよりなるものであるから、建築用構造材は、軽量でしかもその加工容易性のために種々の形状のものが製作可能であるとともに、外観が非常に綺麗であり、かつデザイン性にすぐれている。
【００５２】
また、建築用構造材が、アルミニウム押出形材製の第１部材および第２部材によって主として構成されているから、第１部材および第２部材を結合して、大型の建築用構造材を容易に製作することができるという効果を奏する。
【００５３】
また、この発明による請求項４記載の発明は、接続部隠ぺい用被覆材が押出材製で、中央部に外方凸部を有しているもので、第１部材および第２部材の接続部の外面に被せられた接続部隠ぺい用被覆材の一側縁部が、第１部材の同側接続縁部の差込み用凹部に差し込まれて、被覆材側縁部係止用凸部に係り合わせられ、両被覆材の他側縁部が、第２部材の同側接続縁部の差込み用凹部に差し込まれて、被覆材側縁部係止用凸部に係り合わせられた状態では、両被覆材の中央部の外方凸部が、互いに対向する短い被覆材側縁部係止用凸部同士の間に位置して、両被覆材の外方凸部の外面と係止用凸部の外面とが略面一となされているから、第１部材および第２部材同士の接続部分の外観がより一層良好であり、デザイン性に優れているという効果を奏する。
【図面の簡単な説明】
【図１】
この発明の第１実施形態を示す部分斜視図である。
【図２】
この発明の第２実施形態を示す要部水平断面図である。
【符号の説明】
１        横断面略コ形のアルミニウム押出形材製の第１部材
１ａ      第１部材の接続縁部
２        横断面略コ形のアルミニウム押出形材製の第２部材
２ａ      第２部材の接続縁部
３        接続部隠ぺい用被覆材
３ａ      一側縁部
３ｂ      他側縁部
３ｃ      中央部の外方凸部
４        被覆材側縁部差込み用凹部
５        結合用突出部
６        被覆材側縁部係止用凸部
７        被覆材側縁部差込み用凹部
８        結合用突出部
９        短い被覆材側縁部係止用凸部
１０      接続部
１１      横断面略コ形のアルミニウム押出形材製の第１部材
１１ａ    第１部材の接続縁部
１２      横断面略コ形のアルミニウム押出形材製の第２部材
１２ａ    第２部材の接続縁部
１３      接続部隠ぺい用被覆材
１３ａ    一側縁部
１３ｂ    他側縁部
１３ｃ    中央部の外方凸部
１４      被覆材側縁部差込み用凹部
１５      結合用突出部
１６      被覆材側縁部係止用凸部
１７      被覆材側縁部差込み用凹部
１８      結合用突出部
１９      短い被覆材側縁部係止用凸部
２０      接続部
２３      溶接部逃がし用凹部
２４      溶接部逃がし用凹部
３０      建築用構造材
３１      建築用構造材